(57)【要約】【課題】冷却効率を向上させたプロジェクタを提供する。【解決手段】光を出射する光源５１、画像データに基づいて光源５１からの光を映像に変換する変換部５５を有する光学変換部５４、光学変換部５４により変換された映像を拡大投写する投写レンズ５９とを有する光学構成部５０と、光学構成部５０を駆動する回路構成部としての回路ユニット６０と、プロジェクタ１の外装を構成し外面側に放熱部を有する筐体１０と、光学構成部５０または回路ユニット６０において発熱する素子の熱を筐体１０に伝熱する伝熱部材４００とを有する。また、冷却ファン７０及びカバー部材１００を設けて、筐体１０とカバー部材１００とで形成される冷却空間領域２００と、光学構成部５０を収容するプロジェクタ本体２内部の本体内部空間領域３００とを分離する。【選択図】図３
2006276832.tif 000002
【特許請求の範囲】
【請求項１】
映像を投写するプロジェクタであって、
光を出射する光源と、画像データに基づいて前記光源からの光を映像に変換する変換部
を有する光学変換部と、前記光学変換部により変換された映像を拡大投写する投写レンズ
とを有する光学構成部と、
前記光学構成部を駆動する回路構成部と、
前記プロジェクタの外装を構成し、外面側に放熱部を有する筐体と、
前記光学構成部およびまたは前記回路構成部において発熱する素子の熱を前記筐体に伝
熱する伝熱部材とを有することを特徴とするプロジェクタ。
【請求項２】
請求項１に記載のプロジェクタであって、
前記筐体に有する前記放熱部の近傍に設置され、前記放熱部に空気を送出する冷却ファ
ンと、
前記放熱部を覆い前記筐体に固定され、前記冷却ファンから送出される空気を流動する
カバー部材とを有することを特徴とするプロジェクタ。
【請求項３】
請求項１または請求項２に記載のプロジェクタであって、
前記放熱部は、フィンにより形成されることを特徴とするプロジェクタ。
【請求項４】
請求項２または請求項３に記載のプロジェクタであって、
前記筐体と前記カバー部材とで形成される冷却空間領域と、前記光学構成部および前記
回路構成部を収容する前記プロジェクタ内部の本体内部空間領域とは分離されることを特
徴とするプロジェクタ。
【請求項５】
請求項３または請求項４に記載のプロジェクタであって、
前記フィンは、少なくともプロジェクタの上面または側面に形成されることを特徴とす
るプロジェクタ。
【請求項６】
請求項３〜請求項５のいずれか一項に記載のプロジェクタであって、
前記冷却ファンは、前記フィンと平面的に配設されることを特徴とするプロジェクタ。
【請求項７】
請求項３〜請求項６のいずれか一項に記載のプロジェクタであって、
前記フィンは、前記冷却ファンに対して放射状に形成される領域を有することを特徴と
するプロジェクタ。
【請求項８】
請求項２〜請求項７のいずれか一項に記載のプロジェクタであって、
前記カバー部材は、熱伝導性の部材で構成されることを特徴とするプロジェクタ。
【発明の詳細な説明】
【技術分野】
【０００１】
本発明は、映像を投写するプロジェクタに関する。詳しくは、プロジェクタの冷却構造
に関する。
【背景技術】
【０００２】
従来、プロジェクタで発生する熱に対しての冷却構造は、特許文献１に記載されるよう
に、筐体内部に設置される樹脂製光学シャーシの底面の一部を開口し、同開口部に補助放
熱板を固定し、同補助放熱板に電源基板の放熱板を当接または固定することにより、放熱
板の熱を補助放熱板に伝熱し、樹脂製光学シャーシ内の吸気口及び排気口にそれぞれ設け
るファンにより流風する空気で放熱させるものが知られている。
【０００３】
【特許文献１】特開平１１−２３７６９０号公報
【発明の開示】
【発明が解決しようとする課題】
【０００４】
しかしながら、特許文献１に記載される構成は、樹脂製の光学シャーシであること、ま
た、樹脂製光学シャーシは、筐体内部に設置されていること、また、補助放熱板は、樹脂
製光学シャーシの底面の一部を開口し、その開口部に対応する大きさで固定するだけの形
状であることなどにより、補助放熱板に伝熱された熱が、ファンにより流風する空気では
放熱しづらく、冷却効率が低下するという課題がある。
【０００５】
本発明は、上記課題に鑑みてなされたものであり、冷却効率を向上させたプロジェクタ
を提供することを目的とする。
【課題を解決するための手段】
【０００６】
上述した目的を達成するために、本発明は、プロジェクタであって、光を出射する光源
と、画像データに基づいて光源からの光を映像に変換する変換部を有する光学変換部と、
光学変換部により変換された映像を拡大投写する投写レンズとを有する光学構成部と、光
学構成部を駆動する回路構成部と、プロジェクタの外装を構成し外面側に放熱部を有する
筐体と、光学構成部または回路構成部において発熱する素子の熱を筐体に伝熱する伝熱部
材とを有することを特徴とする。
【０００７】
このようなプロジェクタによれば、伝熱部材により光学構成部または回路構成部におい
て発熱する素子の熱を筐体に伝熱する。そして、プロジェクタの外装を構成し外面側に放
熱部を有する筐体は、伝熱された熱を放熱部から外気に放熱する。これにより、放熱効率
を向上することができる。従って、発熱する素子の冷却効率を向上することが可能となる
。
【０００８】
上記プロジェクタにおいて、筐体に有する放熱部の近傍に設置され、放熱部に空気を送
出する冷却ファンと、放熱部を覆い筐体に固定され、冷却ファンから送出される空気を流
動するカバー部材とを有することが好ましい。
【０００９】
このようなプロジェクタによれば、カバー部材により放熱部が覆われ、冷却ファンから
送出される空気が流動する。それにより、放熱部での放熱効率が更に向上し、発熱する素
子の冷却効率を更に向上させることが可能となる。
【００１０】
上記プロジェクタにおいて、放熱部は、フィンにより形成されることが好ましい。
このようなプロジェクタによれば、放熱部はフィンにより形成されるため、放熱面積が
拡大し、放熱効率を更に向上することができる。従って、発熱する素子の冷却効率を更に
向上することが可能となる。
【００１１】
上記プロジェクタにおいて、筐体とカバー部材とで形成される冷却空間領域と、光学構
成部および回路構成部を収容するプロジェクタの本体内部の本体内部空間領域とは分離さ
れることが好ましい。
【００１２】
このようなプロジェクタによれば、発熱する素子の熱を冷却空間領域で放熱して冷却す
ることで、上述したように冷却効率を向上させることが可能となるばかりでなく、冷却空
間領域と本体内部空間領域とが分離されるため、冷却ファンの送出により外気から吸込ま
れる塵埃は、冷却空間領域を流動し、本体内部空間領域には流動しないため、本体内部空
間領域に収容される光学構成部および回路構成部に塵埃が付着することを防止でき、投写
映像に塵埃の影が映ることがなくなる。従って、発熱する素子の冷却効率を向上させ、併
せて、投写映像の品質を向上させることができる。
【００１３】
上記プロジェクタにおいて、フィンは、少なくともプロジェクタの上面または側面に形
成されることが好ましい。
【００１４】
このようなプロジェクタによれば、フィンが外気の対流による影響を受け易い場所に形
成されることになるため、放熱効率が更に向上する。従って、発熱する素子の冷却効率を
更に向上することができる。
【００１５】
上記プロジェクタにおいて、冷却ファンは、フィンと平面的に配設されることが好まし
い。
【００１６】
このようなプロジェクタによれば、冷却ファンは、フィンと平面的に配設されて冷却を
行うことができるため、冷却ファンをフィンと積層して配設した場合に比べて、プロジェ
クタの厚みを薄くすることができる。
【００１７】
上記プロジェクタにおいて、フィンは、冷却ファンに対して放射状に形成される領域を
有することが好ましい。
【００１８】
このようなプロジェクタによれば、冷却ファンに対してフィンを放射状に形成すること
により、冷却ファンから放射状に送出され拡散する空気に対して、フィンとフィンの間に
ファンによる空気を効率良く流動させることができる。それにより、フィンは効率的にフ
ァンによる空気を受け放熱することができ、放熱効率が更に向上することで、発熱する素
子の冷却効率を更に向上させることが可能となる。
【００１９】
上記プロジェクタにおいて、カバー部材は、熱伝導性の部材で構成されることが好まし
い。
【００２０】
このようなプロジェクタによれば、カバー部材が固定される筐体から熱が伝熱し、カバ
ー部材に伝熱した熱が、カバー部材の外面側及び冷却空間領域を構成する面から外気に放
熱することで、放熱効率が更に向上する。従って、発熱する素子の冷却効率が更に向上す
る。
【発明を実施するための最良の形態】
【００２１】
以下、本発明の実施形態を図面に基づいて説明する。
（実施形態）
【００２２】
図１は、本発明の実施形態に係るプロジェクタの概略斜視図であり、図１（ａ）は、カ
バー部材を固定した状態での斜視図であり、図１（ｂ）は、カバー部材を取外した状態で
の斜視図である。図１を用いて、プロジェクタ１の外観の構成を概略説明する。
【００２３】
プロジェクタ１の外観面である全６面に対して、構成の説明のために、上面部１ａ、前
面部１ｂ、左側面部１ｃ、右側面部１ｄ、背面部１ｅ、底面部１ｆとして示す。
【００２４】
図１（ａ）に示すように、プロジェクタ１は、プロジェクタ１の外装を構成する略直方
体形状の筐体１０と、プロジェクタ１の上面部１ａのほぼ全領域を覆うカバー部材１００
とを有して構成される。
【００２５】
筐体１０は、上ケース１１と下ケース１２（図３に図示）とで構成される。上ケース１
１は、熱伝導性を有し、しかも熱伝導率が高いアルミニウム合金で形成され、下ケース１
２は上ケース１１と同様に熱伝導性を有し、しかも熱伝導率が高いアルミニウム合金で形
成され、プロジェクタ１底面部１ｆの外装を構成する。なお、上ケース１１と下ケース１
２は、ネジにより固定される。
【００２６】
図１（ｂ）に示すように、筐体１０の上面部１ａには、カバー部材１００を載置するカ
バー部材載置面２０１が、カバー部材１００の厚さ分だけ凹ませて上ケース１１に形成さ
れている。また、上面部１ａには、一段窪んだトレー状に形成される冷却空間領域構成面
２０２が上ケース１１に構成されている。冷却空間領域構成面２０２には、放熱部として
のフィン２１０が複数突出して形成されている。また、冷却空間領域構成面２０２には、
筐体１０の前面部１ｂ方向には、外気を吸気して後述する冷却空間領域２００（図３に図
示）に送出する冷却ファン７０が設置され固定されている。なお、フィン２１０の突出し
た高さは、カバー部材載置面２０１の高さと同じに設定されている。
【００２７】
上面部１ａで、冷却空間領域構成面２０２の横には、プロジェクタ１内部に備えるスピ
ーカ３７（図４に図示）から出力される音を報音する報音孔１５が形成されている。
【００２８】
前面部１ｂには、投写レンズ５９及び投写レンズ５９を保持する投写レンズ保持部材８
０の先端部が筐体１０から延出して備えられている。また、プロジェクタ１の動作を制御
するために、リモートコントローラ（以降、リモコンと称する）５３０からの信号を受信
するリモコン受光部１６が設けられている。
【００２９】
左側面部１ｃ及び右側面部１ｄの上部側には、カバー部材１００を固定するための一段
凹んだカバー部材固定面２０３，２０４が形成され、カバー部材固定面２０３，２０４に
は、ネジ固定受部２０６がそれぞれの面に２箇所ずつ凹部及び丸孔を有して形成されてい
る。
【００３０】
背面部１ｅには、上ケース１１に構成される冷却空間領域構成面２０２とフィン２１０
と排気口上面部２０５とに囲まれる排気口２２０が形成されている。また、後述する電源
コネクタ４２（図４に図示）を構成し、プロジェクタ１とは別に備える電源アダプタ（図
示省略）が有するプラグ５２０（図４に図示）と接続するコネクタ（図示省略）などが設
けられている。
【００３１】
筐体１０の底面部１ｆには、プロジェクタ１を支える脚１７（図３に図示）が設けられ
ている。
【００３２】
カバー部材１００は、熱伝導性を有し、熱伝導率が高いアルミニウム合金で、断面Ｕ字
形状に形成されている。また、カバー部材１００には、冷却ファン７０に相対する位置に
複数のスリット状の孔を形成して吸気口１１０が構成されている。また、カバー部材１０
０の側面部には、ネジ固定受部２０６に対応するネジ孔１２０が凹部及び丸孔を有してそ
れぞれ形成されている。
【００３３】
このように構成されたカバー部材１００は、筐体１０の上面部１ａに形成されるフィン
２１０を覆うように、カバー部材載置面２０１に載置して、ネジ孔１２０を介してネジ固
定受部２０６にネジ１２１でネジ締めすることにより、上ケース１１に固定される。
【００３４】
上ケース１１にカバー部材１００を固定することにより、カバー部材１００は、上ケー
ス１１の上面部１ａ、左側面部１ｃ及び右側面部１ｄの外面から突出せず概略同一面とな
るように設定されており、プロジェクタ１として一体感を出す外観面となっている。
【００３５】
図２は、カバー部材を取外した状態での平面図である。図２を用いて、フィン２１０の
構成及び動作を説明する。
【００３６】
図２に示すように、冷却空間領域構成面２０２に形成されるそれぞれのフィン２１０は
、冷却ファン７０に対して（詳細には、冷却ファン７０の送出口７１に対して）放射状に
形成される領域となる放射状フィン部２１０ａをそれぞれ有している。また、カバー部材
固定面２０３，２０４もフィン２１０として機能している。そして、冷却ファン７０は、
フィン２１０と平面的に（重ならないように）設けられており、冷却ファン７０から送出
された空気は、放射状に拡散し、その拡散する空気を放射状フィン部２１０ａにより、対
向するフィン２１０の間に効率的にそれぞれ流動させている。
【００３７】
図３は、図２に示すＡ−Ａ断面図である。図３を用いて、プロジェクタ１の構成及び動
作を説明する。
【００３８】
図３を用いて、筐体１０とカバー部材１００とによるプロジェクタ１内部の空間領域の
構成を説明する。
【００３９】
図３に示すように、プロジェクタ１は、上ケース１１と下ケース１２とで囲まれた空間
領域（プロジェクタ１内部の空間領域）となる本体内部空間領域３００と、上ケース１１
に構成される冷却空間領域構成面２０２とカバー部材１００とにより囲まれた空間領域と
なる冷却空間領域２００とで構成されている。そして、本体内部空間領域３００と冷却空
間領域２００とは、ほぼ完全に分離される構造となっている。それにより、冷却空間領域
２００を流動する空気が、本体内部空間領域３００に流入することを防止している。
【００４０】
本体内部空間領域３００は、後述するプロジェクタ１の光学系を構成する光学構成部５
０や、回路系を構成する回路構成部としての回路ユニット６０などを収容する領域である
。また、冷却空間領域２００は、前述した冷却空間領域構成面２０２にフィン２１０が形
成され、冷却ファン７０を設置して、本体内部空間領域３００内の光学構成部５０や、回
路ユニット６０から伝熱される熱を放熱させる領域である。
【００４１】
なお、冷却空間領域構成面２０２に設置される冷却ファン７０を駆動するために、本体
内部空間領域３００内に収容される回路ユニット６０と接続されるケーブル（図示省略）
などは、冷却空間領域構成面２０２に孔（図示省略）を設けて接続される。しかし、その
孔も封止部材（図示省略）により冷却空間領域２００を流動する空気が本体内部空間領域
３００に流入することを防止している。
【００４２】
また、本体内部空間領域３００を構成する上ケース１１及び下ケース１２においては、
、光学構成部５０や回路ユニット６０からの放射熱による熱が伝熱され、上ケース１１及
び下ケース１２の外気に接触する外面から外気に放熱されて、伝熱した熱が冷却される。
【００４３】
図３を用いて、最初に、光学構成部５０の構成を説明する。
光学構成部５０は、プロジェクタ１の光学系を構成する部分であり、光源５１と、光学
変換部５４と、投写レンズ５９とを有して構成される。光源５１は、発光源としてのＬＥ
Ｄ（Light Emitting Diode）光源５２と、集光レンズ５３とを有して構成される。光学変
換部５４は、コリメータレンズ５７と、伸張レンズ５８と、変換部５５としての液晶ライ
トバルブ５６とを有して構成される。
【００４４】
光学構成部５０は、筐体１０の平面中央及び断面中央に配設されている。背面部１ｅ側
に光源５１を配設し、前方に光学変換部５４、投写レンズ５９の順番に配設され、前面部
１ｂに投写レンズ５９を保持固定する投写レンズ保持部材８０の一部が延出する。光学変
換部５４は、光源５１の前方にコリメータレンズ５７、伸張レンズ５８、変換部５５とし
ての液晶ライトバルブ５６の順番に配設される。光学構成部５０は、上述した配設順番で
直線上に配設される。
【００４５】
なお、光源５１は、光源ケーブル５１ａを有して後述する回路ユニット６０に接続され
、液晶ライトバルブ５６は、ライトバルブケーブル５６ａを有して後述する回路ユニット
６０に接続される。
【００４６】
次に、各光学構成部の動作を説明する。
光源５１を構成するＬＥＤ光源５２は、光源ケーブル５１ａを介して伝達されるＬＥＤ
制御部３９（図４に図示）からの駆動信号に基づいて白色光（すべての色の光を含む）を
発光する。
【００４７】
集光レンズ５３は、ＬＥＤ光源５２で発光した光を効率よく前方に出射させる。コリメ
ータレンズ５７は、光源５１から出射された光を平行光に変換して出射する。伸張レンズ
５８は、コリメータレンズ５７から出射された平行光を液晶ライトバルブ５６の所定の入
射光領域（図示省略）のサイズに合せて伸張して出射する。
【００４８】
液晶ライトバルブ５６は、本実施形態では、透過型カラー液晶パネルを用いており、ラ
イトバルブケーブル５６ａを介して伝達されるＬＣＤ駆動部３４（図４に図示）からの駆
動信号に基づいて駆動し、伸張レンズ５８から出射された光を変調して映像に変換する。
なお、液晶ライトバルブ５６は、透過型液晶パネルに限定されることなく、反射型液晶パ
ネルやデジタルマイクロミラーデバイス等を用いることもできる。
【００４９】
投写レンズ５９は、数種類のレンズから構成されており、液晶ライトバルブ５６により
変調され生成された映像を拡大して、プロジェクタ１の外部に出射する。
【００５０】
上述した光学構成部５０の構成及び動作により、プロジェクタ１は、プロジェクタ１の
外部に設置したスクリーン５１０（図４に図示）などの投影面に映像を拡大投写する。
【００５１】
なお、冷却空間領域構成面２０２を構成する上ケース１１の内面側に、固定部２０が形
成されており、光学構成部５０を構成する光源５１、光学変換部５４及び投写レンズ５９
を保持固定する投写レンズ保持部材８０が、所定の位置関係を保持して収容され固定され
ている。
【００５２】
次に、回路ユニット６０の構成を説明する。
回路ユニット６０は、プロジェクタ１の回路系を構成する回路構成部であり、後述する
プロジェクタ１の回路ブロックの各回路部を構成する素子を回路基板６１に実装したもの
である。そして、回路ユニット６０は、冷却空間領域構成面２０２を構成する上ケース１
１の内面側に、回路ユニット固定突起１８を形成し、ネジ１９により上ケース１１に固定
される。
【００５３】
回路ユニット６０は、回路基板６１をベースとして、各回路部を構成する素子として、
ＭＰＵ（Micro Processing Unit）６２、電源コネクタ４２（図４に図示）を構成するコ
ネクタ（図示省略）、スピーカ３７（図４に図示）、ライトバルブケーブル５６ａを接続
するライトバルブケーブルコネクタ６３、光源５１を駆動するための光源ケーブル５１ａ
を接続する光源ケーブルコネクタ６４などが実装される。その他の素子は図示を省略して
いる。
【００５４】
次に、本体内部空間領域３００及び冷却空間領域２００での熱に関して説明する。
プロジェクタ１を駆動した場合に回路ユニット６０の中で最も発熱する画像処理関係の
素子となるＭＰＵ６２には、その上面を覆うように、伝熱部材４００としての熱伝導性シ
ート４１０が載置される。そして、熱伝導性シート４１０は、回路ユニット６０を上ケー
ス１１に固定することにより、ＭＰＵ６２と上ケース１１とに狭持される。この構造によ
り、熱伝導性シート４１０は、冷却空間領域構成面２０２と反対面となる上ケース１１の
内面に接続される。そして、熱伝導性シート４１０は、ＭＰＵ６２で発生する熱を冷却空
間領域構成面２０２を構成する上ケース１１に伝熱する。
【００５５】
また、プロジェクタ１を駆動した場合に光学構成部５０の中で最も発熱する光源５１に
は、光源５１が有する光源ケーブル５１ａに相対する形状で、フレキシブルなアルミニウ
ムを主成分とする伝熱部材４００としての熱伝導性シート４２０が光源ケーブル５１ａに
貼付される。そして、光源ケーブル５１ａは、光源ケーブルコネクタ６４に接続され、熱
伝導性シート４２０は、冷却空間領域構成面２０２を構成する上ケース１１の内面側に貼
付される。この構造により、熱伝導性シート４２０は、冷却空間領域構成面２０２と反対
面となる上ケース１１の内面に接続される。そして、熱伝導性シート４２０は、光源５１
で発生する熱を冷却空間領域構成面２０２を構成する上ケース１１に伝熱する。
【００５６】
上記熱伝導性シート４１０，４２０により、ＭＰＵ６２及び光源５１で発熱する熱は、
冷却空間領域構成面２０２を構成する上ケース１１の内面に伝熱することにより、冷却空
間領域２００を構成する冷却空間領域構成面２０２にも伝熱する。
【００５７】
ここで、冷却空間領域２００の構成に関して詳細に説明する。
冷却空間領域２００は、上述したように上ケース１１に構成される冷却空間領域構成面
２０２とカバー部材１００とにより囲まれた空間領域である。また、冷却空間領域構成面
２０２には、フィン２１０が形成され、冷却ファン７０が設置されている。そして、冷却
空間領域２００には、冷却空間領域構成面２０２と各フィン２１０とカバー部材１００と
に囲まれることで、各フィン２１０が冷却空間領域２００を仕切る状態となり、流路２３
０がそれぞれ構成される。また、背面部１ｅには、排気口２２０が冷却空間領域構成面２
０２と各フィン２１０と排気口上面部２０５とに囲まれて上ケース１１にそれぞれ構成さ
れる。
【００５８】
次に、冷却空間領域２００での冷却ファン７０の動作と熱に関して詳細に説明する。
冷却ファン７０が動作することにより、冷却ファン７０は、カバー部材１００に形成さ
れる吸気口１１０から外気を吸気し、送出口７１から空気を冷却空間領域２００内に放射
状に送出する。
【００５９】
冷却ファン７０から放射状に送出した空気は、各フィン２１０に有する放射状フィン部
２１０ａにより、対向するフィン２１０の間にそれぞれ流動する（各流路２３０を流動す
る）。このとき、各流路２３０を流動する空気により、冷却空間領域構成面２０２を構成
する上ケース１１に伝熱する熱は、冷却空間領域構成面２０２及びフィン２１０から放熱
して、流動する空気と共に排気口２２０からプロジェクタ１外に排気される。図３に矢印
で示す方向に空気は流動する。
【００６０】
上述した空気の流動によるサイクルを繰返すことにより、上ケース１１に伝熱する熱は
、冷却空間領域構成面２０２及びフィン２１０により放熱される。それにより、冷却空間
領域構成面２０２を構成する上ケース１１の内面側に接続する熱伝導性シート４１０，４
２０を介して、ＭＰＵ６２及び光源５１が冷却される。
【００６１】
なお、本体内部空間領域３００と冷却空間領域２００とは、上述したように、ほぼ完全
に分離される構造となっているため、冷却空間領域２００において流動する空気は、本体
内部空間領域３００に漏れて流動することはない。
【００６２】
図４は、プロジェクタの回路構成を示すブロック図である。図４を用いて、プロジェク
タ１の回路構成及び動作を説明する。
【００６３】
プロジェクタ１は、パソコン（パーソナルコンピュータ）５００と無線により接続され
る。そして、プロジェクタ１は、アンテナ３０、通信部３１、信号変換部３２、画像処理
部３３、ＬＣＤ（Liquid Crystal Display）駆動部３４、光学構成部５０、ＬＥＤ（Ligh
t Emitting Diode）制御部３９、音声処理部３５、増幅部３６、スピーカ３７、冷却ファ
ン制御部４０、冷却ファン７０、リモコン５３０の信号を受信するリモコン信号受信部４
１と、電源コネクタ４２及びプロジェクタ１の動作全体を統括制御する制御部３８などを
有して構成される。
【００６４】
プロジェクタ１の各回路部の動作を説明する。
プロジェクタ１は、アンテナ３０及び通信部３１により、パソコン５００からの符号化
された画像データ（静止画像データ及び動画像データ）や音声データなどを受信する。受
信した画像データや音声データは、信号変換部３２により複合化され、画像データは、画
像処理部３３に出力され、音声データは、音声処理部３５に出力される。
【００６５】
画像処理部３３は、信号変換部３２から入力した画像データに、フレームレート変換お
よびスケーリング処理などを行う。また、画像処理部３３は、画像データにブライトネス
調整、コントラスト調整、ガンマ補正処理などの各種の画像補正も併せて行う。このよう
に加工された画像データは、投写用映像信号としてＬＣＤ駆動部３４に出力される。ＬＣ
Ｄ駆動部３４は、画像処理部３３から入力した投写用映像信号に基づき、液晶ライトバル
ブ５６を駆動する。
【００６６】
音声処理部３５は、信号変換部３２から入力したデジタル信号である音声データを、ア
ナログ信号に変換し、増幅部３６により増幅し、スピーカ３７により音声として報音孔１
５を介して報音する。
【００６７】
ＬＥＤ制御部３９は、制御部３８の信号に基づいて、ＬＥＤ光源５２の輝度調光を行う
。具体的には、画像のシーンに対応させて、ＬＥＤ光源５２を駆動する駆動周波数やデュ
ーティー比を変化させている。これにより、明るいシーンでは、駆動周波数を上げるまた
はデューティー比の「ＯＮ」時間を長くすることにより、ＬＥＤ光源５２を明るく発光さ
せる。また、暗いシーンでは、逆に、駆動周波数を下げるまたはデューティー比の「ＯＮ
」時間を短くすることにより、ＬＥＤ光源５２の発光を抑えて暗くさせる制御を行う。な
お、ＬＥＤ光源５２は、白色光（すべての色の光を含む）を発光させる。
【００６８】
冷却ファン制御部４０は、制御部３８の信号に基づいて、冷却ファン７０を制御して駆
動させる。
【００６９】
リモコン信号受信部４１は、リモコン５３０から送信された信号をリモコン受光部１６
（図１に図示）を介して受信し、制御部３８に出力する。なお、リモコン５３０は、赤外
線を用いた通信を行っている。
【００７０】
制御部３８は、光学構成部５０や回路構成部としての回路ユニット６０を含め、プロジ
ェクタ１の動作全体を統括制御している。
【００７１】
プロジェクタ１を駆動するための電力は、プロジェクタ１とは別に備える電源アダプタ
（図示省略）を介して供給される。それにより、電源コネクタ４２を備えて、電源アダプ
タが有するプラグ５２０と接続される。
【００７２】
上述した、実施形態によれば以下の効果が得られる。
（１）本実施形態によれば、筐体１０を構成する上ケース１１は、熱伝導性を有し、し
かも熱伝導率が高いアルミニウム合金で形成され、冷却空間領域構成面２０２にはフィン
２１０を形成している。また、回路ユニット６０で発熱するＭＰＵ６２や、光学構成部５
０で発熱する光源５１の熱を熱伝導性シート４１０，４２０により、冷却空間領域構成面
２０２を構成する上ケース１１の内面に伝熱させている。この構成により、伝熱した熱は
、上ケース１１の外面及びフィン２１０から外気に効率的に放熱されるため、放熱効率を
向上することができる。従って、発熱するＭＰＵ６２や光源５１などの素子の冷却効率を
向上することが可能となる。
【００７３】
（２）本実施形態によれば、上ケース１１に構成する冷却空間領域構成面２０２にフィ
ン２１０を形成し、その近傍に冷却ファン７０を設置し、フィン２１０を覆い上ケース１
１に固定されて冷却ファン７０から送出される空気を流動するカバー部材１００を設置し
たことにより、フィン２１０での放熱効率が更に向上し、発熱するＭＰＵ６２や光源５１
などの素子の冷却効率を更に向上させることが可能となる。
【００７４】
（３）本実施形態によれば、プロジェクタ１は、上ケース１１と下ケース１２とで囲ま
れた空間領域（プロジェクタ１内部の空間領域）となる本体内部空間領域３００と、上ケ
ース１１に構成される冷却空間領域構成面２０２とカバー部材１００とにより囲まれた空
間領域となる冷却空間領域２００とで構成されている。そして、本体内部空間領域３００
と冷却空間領域２００とは、ほぼ完全に分離される構造となっている。それにより、発熱
する素子の熱を冷却空間領域２００で放熱して冷却することで、上述したように冷却効率
を向上させることが可能となるばかりでなく、冷却空間領域２００を流動する空気が本体
内部空間領域３００に流入することを防止できるため、冷却ファン７０から送出される空
気により外気から吸込まれる塵埃は、冷却空間領域２００を流動し、本体内部空間領域３
００には流動しないため、本体内部空間領域３００に収容される光学構成部５０および回
路構成部としての回路ユニット６０に塵埃が付着することを防止できる。特に、光源から
の光を映像に変換する変換部に塵埃が付着した場合には、塵埃により透過光が遮られるこ
とにより、投写レンズにより投影面に映像を投写すると、遮られた領域が影として投写さ
れてしまうが、このような不具合を防止でき、投写映像の品質を向上することができる。
【００７５】
（４）本実施形態によれば、冷却ファン７０は、冷却空間領域構成面２０２に形成され
るフィン２１０の近傍で、フィン２１０と平面的に設けることで冷却を行うため、冷却フ
ァン７０をフィン２１０と積層するように設ける場合に比べて、プロジェクタ１の厚みを
薄くすることができる。
【００７６】
（５）本実施形態によれば、冷却空間領域構成面２０２に形成されるそれぞれのフィン
２１０は、冷却ファン７０に対して（詳細には、冷却ファン７０の送出口７１に対して）
放射状に形成される領域となる放射状フィン部２１０ａをそれぞれ有している。これによ
り、冷却ファン７０から放射状に送出され拡散する空気は、放射状に形成されたそれぞれ
の放射状フィン部２１０ａにより、対向するフィン２１０の間に効率良く流動させること
ができる。従って、フィン２１０は効率的に冷却ファン７０による空気を受け放熱するこ
とができ、放熱効率が向上することで、発熱するＭＰＵ６２や光源５１などの素子の冷却
効率を更に向上させることが可能となる。
【００７７】
（６）本実施形態によれば、カバー部材１００は、熱伝導性を有し、熱伝導率が高いア
ルミニウム合金で形成され、上ケース１１に固定される。これにより、冷却空間領域構成
面２０２に伝熱した熱が、カバー部材１００にも伝熱することができるため、カバー部材
１００の外面側や、冷却空間領域２００を構成する面から放熱することにより、放熱効率
が向上する。従って、発熱する素子の冷却効率が更に向上する。
【００７８】
なお、本発明は、上述した実施形態に限定されず、種々の変更や改良など加えることが
可能である。変形例を以下に述べる。
【００７９】
（変形例１）前記実施形態において、フィン２１０は、プロジェクタ１の上面部１ａに
相当する上ケース１１の上面に形成している。しかし、これに限らず、筐体１０（上ケー
ス１１）の側面にフィンを形成しても良い。このように外気の対流による影響を受け易い
場所にフィンを形成することにより、放熱効率を向上させることができる。従って、発熱
する素子の冷却効率を更に向上することができる。
【００８０】
（変形例２）前記実施形態において、筐体１０を構成する上ケース１１、下ケース１２
及びカバー部材１００は、熱伝導性の部材で熱伝導率が高いアルミニウム合金で形成され
ている。しかし、これに限らず、熱伝導性を有し、熱伝導率が高い金属で形成することで
良い。例えば、銅合金やマグネシウム合金などの金属で形成しても良く、前記実施形態に
おける同様の効果を得ることができる。
【００８１】
（変形例３）前記実施形態において、カバー部材１００は、熱伝導性を有し、熱伝導率
が高いアルミニウム合金で形成されて、上ケース１１からの熱を伝熱され放熱することで
、発熱する素子の冷却効率を向上させている。しかし、カバー部材１００が熱伝導性を有
さなくても発熱する素子を冷却することができる場合においては、カバー部材１００を形
成する材料として、熱伝導性を有さない例えばプラスチック材料などで構成することでも
良い。これにより、カバー部材１００を構成する材質や色などを選択する自由度が拡大す
る。
【００８２】
（変形例４）前記実施形態において、プロジェクタ１は、回路構成部としての回路ユニ
ット６０の中で最も発熱する画像処理関係の素子となるＭＰＵ６２と、光学構成部５０の
中で最も発熱する光源５１とを主に冷却する構造としている。しかし、これに限らず、冷
却する必要のある素子は、冷却空間領域２００に伝熱させるための伝熱部材４００を用い
て、前記実施形態と同様に実施することにより、素子の冷却効率を向上させることができ
る。
【００８３】
（変形例５）前記実施形態での筐体１０の構成方法、冷却空間領域２００の構成方法、
本体内部空間領域３００の構成方法、冷却空間領域構成面２０２の形状や筐体１０での構
成位置、フィン２１０の形状や本数、カバー部材１００の形状や固定方法、吸気口１１０
や排気口２２０の構成方法、冷却ファン７０の数や配設位置などは、前記実施形態に限定
されるものではなく、発明の要旨を変更しない範囲で適宜変更や改良を行っても良い。
【００８４】
（変形例６）前記実施形態でのプロジェクタ１は、透過型液晶方式のプロジェクタであ
る。しかし、これに限らず、ＤＬＰ（登録商標）（Digital Light Processing）方式、及
び、反射型液晶方式であるＬＣＯＳ（Liquid Crystal On Silicon）方式などを採用した
プロジェクタであっても良い。
【図面の簡単な説明】
【００８５】
【図１】本発明の実施形態に係るプロジェクタの概略斜視図であり、図１（ａ）は、カバー部材を固定した状態での斜視図であり、図１（ｂ）は、カバー部材を取外した状態での斜視図である。
【図２】カバー部材を取外した状態での平面図である。
【図３】図２に示すＡ−Ａ断面図である。
【図４】プロジェクタの回路構成を示すブロック図である。
【符号の説明】
【００８６】
１…プロジェクタ、１０…筐体、１１…上ケース、１２…下ケース、１５…報音孔、１
６…リモコン受光部、１７…脚、１８…回路ユニット固定突起、２０…固定部、３０…ア
ンテナ、３１…通信部、３２…信号変換部、３３…画像処理部、３４…ＬＣＤ駆動部、３
５…音声処理部、３６…増幅部、３７…スピーカ、３８…制御部、３９…ＬＥＤ制御部、
４０…冷却ファン制御部、４１…リモコン信号受信部、４２…電源コネクタ、５０…光学
構成部、５１…光源、５２…ＬＥＤ光源、５３…集光レンズ、５４…光学構成部、５５…
変換部、５６…液晶ライトバルブ、５７…コリメータレンズ、５８…伸張レンズ、５９…
投写レンズ、６０…回路構成部としての回路ユニット、６１…回路基板、６２…ＭＰＵ、
７０…冷却ファン、７１…送出口、１００…カバー部材、１１０…吸気口、２００…冷却
空間領域、２０１…カバー部材載置面、２０２…冷却空間領域構成面、２０３，２０４…
カバー部材固定面、２０５…排気口上面部、２１０…フィン、２１０ａ…放射状フィン部
、２２０…排気口、２３０…流路、３００…本体内部空間領域、４００…伝熱部材、４１
０，４２０…伝熱部材としての熱伝導性シート、５００…パソコン、５１０…スクリーン
、５２０…電源アダプタが有するプラグ、５３０…リモコン。
【図１】
2006276832.tif 000003
【図２】
2006276832.tif 000004
【図３】
2006276832.tif 000005
【図４】
2006276832.tif 000006